(57)【要約】【課題】ボールペン本体のボールペンチップ側の、キャップとの気密嵌合部の位置を自由に設定することができ、しかも、ボールペン本体のボールペンチップ側の外観性が損なわれることがなく、さらに、ボールペン本体の組立時のインキ誘導部材の折れ曲がりを防止できるボールペンを提供する。【解決手段】軸筒７の前端孔７１の内面に軸方向に延びる複数本のリブ７２が周方向に等間隔に一体に形成される。リブ７２の前部７２ａにボールペンチップ２の外面が圧接保持される。リブ７２の前部７２ａとリブ７２の後部７２ｂとの間に前向きの段部７２ｃが形成され、段部７２ｃとボールペンチップ２の後端とが当接される。リブ７２の後部７２ｂとインキ誘導部材３の外面とが近接される。リブ７２の相互間に空気通路８が形成され、空気通路８が軸筒７の前端より前方に開口される。【選択図】  図２
2020192727.tif 000002
【特許請求の範囲】
【請求項１】
ボールペン本体が、前端にボールが回転可能に抱持されたボールペンチップと、
前記ボールペンチップのボールにインキを供給する棒状のインキ誘導部材と、
前記ボールペンチップの後方に配置され、前記インキ誘導部材が軸方向に貫通されるインキ保持体と、
前記インキ保持体の後方に配置され、インキを直に貯溜するインキタンクと、
前端に前記ボールペンチップが固着されるペン先保持筒と、を備え、
前記インキ保持体と前記インキタンクとがインキ流通可能に接続され、前記インキ誘導部材の後端部が前記インキタンクの内部と直接連通されてなるボールペンであって、
前記ペン先保持筒の前端部に前端孔が軸方向に貫設され、
前記前端孔の内面に軸方向に延びる複数本のリブが周方向に等間隔に一体に形成され、前記リブの前部に前記ボールペンチップの外面が圧接保持され、前記リブの前部と前記リブの後部との間に前向きの段部が形成され、前記段部と前記ボールペンチップの後端とが当接され、前記リブの後部と前記インキ誘導部材の外面とが近接され、
前記ボールペンチップの外面と前記前端孔の内面との間の前記リブの相互間に、前記ボールペン本体内部と外気とが連通可能な空気通路が形成され、前記空気通路がペン先保持筒の前端より前方に開口されることを特徴とするボールペン。
【請求項２】
前記リブの後部の軸心方向の頂部に接する仮想内接円の直径がボールペンチップの後端開口部内径と略一致してなる請求項１に記載のボールペン。
【請求項３】
前記ペン先保持筒の前端部内面に後方に突出する筒状突出部が一体に形成され、前記ペン先保持筒の前端から前記筒状突出部の後端までの間に前記前端孔が軸方向に貫通され、前記筒状突出部の内面に前記リブの前部及び前記リブの後部が一体に形成されるとともに前記筒状突出部の内面に前記リブの前部と前記リブの後部との間の前記段部が一体に形成され、前記ボールペンチップの後端が前記筒状突出部の内面に位置される請求項１または２に記載のボールペン。
【請求項４】
前記リブの肉厚が後方に向かうに従い厚肉に形成される請求項１乃至３の何れかに記載のボールペン。
【請求項５】
前記インキ誘導部材が、前記ボールペンチップ内に前端部が配置される第１の部材と、前記第１の部材の後端部と突き刺し状に接続され且つ前記インキ保持体の内部を軸方向に貫通される第２の部材とを備え、前記第１の部材と前記第２の部材との接続部分が前記リブの後部の径方向内方に配置される請求項１乃至４の何れかに記載のボールペン。
【発明の詳細な説明】
【技術分野】
【０００１】
本発明は、ボールペンに関する。
【背景技術】
【０００２】
従来、特許文献１には、ボールペンチップとインキタンクとの間に一時的インキ溜め部材が配置され、インキ誘導芯が一時的インキ溜め部材の中心孔に挿入され、インキ誘導芯の前端がボールペンチップ内に位置され、インキ誘導芯の後端がインキタンク内に位置され、通気口が先部材と軸筒の先端開口部の間に形成される構成のボールペンが開示されている。
【先行技術文献】
【特許文献】
【０００３】
【特許文献１】特開２００９−８３２９３号
【発明の概要】
【発明が解決しようとする課題】
【０００４】
前記特許文献１に記載されたボールペンは、通気口が先部材と軸筒の先端開口部との間に形成されるため、軸筒外面におけるキャップとの気密嵌合部の位置を通気口より後方に位置させる必要があり、前記軸筒の外面の気密嵌合部の位置を自由に設定することができない。さらに、前記特許文献１に記載されたボールペンは、ボールペンチップ後方と軸筒の先端との間の側面に通気口が開口され、通気口が目に付き、ボールペンペン本体のボールペンチップ側の外観性が損なわれるおそれがある。
【０００５】
本発明は、前記従来の問題点を解決するものであって、ボールペン本体のボールペンチップ側の、キャップとの気密嵌合部の位置を自由に設定することができ、しかも、ボールペン本体のボールペンチップ側の外観性が損なわれることがなく、さらに、ボールペン本体の組立時のインキ誘導部材の折れ曲がりを防止できるボールペンを提供しようとするものである。
【０００６】
尚、本発明で、「前」とは、ボールペンチップ側を指し、「後」とは、その反対側を指す。
【課題を解決するための手段】
【０００７】
本願の第１の発明は、ボールペン本体が、前端にボール２１が回転可能に抱持されたボールペンチップ２と、
前記ボールペンチップ２のボール２１にインキを供給する棒状のインキ誘導部材３と、
前記ボールペンチップ２の後方に配置され、前記インキ誘導部材３が軸方向に貫通されるインキ保持体４と、
前記インキ保持体４の後方に配置され、インキを直に貯溜するインキタンク５と、
前端に前記ボールペンチップ２が固着されるペン先保持筒７と、を備え、
前記インキ保持体４と前記インキタンク５とがインキ流通可能に接続され、前記インキ誘導部材３の後端部が前記インキタンク５の内部と直接連通されてなるボールペンであって、
前記ペン先保持筒７の前端部に前端孔７１が軸方向に貫設され、
前記前端孔７１の内面に軸方向に延びる複数本のリブ７２が周方向に等間隔に一体に形成され、前記リブ７２の前部７２ａに前記ボールペンチップ２の外面が圧接保持され、前記リブ７２の前部７２ａと前記リブ７２の後部７２ｂとの間に前向きの段部７２ｃが形成され、前記段部７２ｃと前記ボールペンチップ２の後端とが当接され、前記リブ７２の後部７２ｂと前記インキ誘導部材３の外面とが近接され、
前記ボールペンチップ２の外面と前記前端孔７１の内面との間の前記リブ７２の相互間に、前記ボールペン本体内部と外気とが連通可能な空気通路８が形成され、前記空気通路８がペン先保持筒７の前端より前方に開口されることを要件とする。
【０００８】
前記第１の発明のボールペン１は、前記構成により、ボールペン本体のボールペンチップ側の、キャップとの気密嵌合部の位置を自由に設定することができ、しかも、空気通路８の開口ではボールペン本体のボールペンチップ側の外観性が損なわれることがなく、さらに、ボールペン本体の組立時のインキ誘導部材３の折れ曲がりを防止できる。
【０００９】
本願の第２の発明は、前記第１の発明のボールペンにおいて、前記リブ７２の後部７２ｂの軸心方向の頂部に接する仮想内接円の直径がボールペンチップ２の後端開口部内径と略一致してなることを要件とする。
【００１０】
前記第２の発明のボールペン１は、前記構成により、段部７２ｃ（リブ７２の後部７２ｂの前端）でボールペンチップ２の後端を安定して支持できるとともに、リブ７２の後部７２ｂをインキ誘導部材３の外面にできる限り近接させることができ、ボールペン本体の組立時のインキ誘導部材３の折れ曲がりを一層防止できる。
【００１１】
本願の第３の発明は、前記第１または第２の発明のボールペンにおいて、前記ペン先保持筒７の前端部内面に後方に突出する筒状突出部７４が一体に形成され、前記ペン先保持筒７の前端から前記筒状突出部７４の後端までの間に前記前端孔７１が軸方向に貫通され、前記筒状突出部７４の内面に前記リブ７２の前部７２ａ及び前記リブ７２の後部７２ｂが一体に形成されるとともに前記筒状突出部７４の内面に前記リブ７２の前部７２ａと前記リブ７２の後部７２ｂとの間の前記段部７２ｃが一体に形成され、前記ボールペンチップ２の後端が前記筒状突出部７４の内面に位置されることを要件とする。
【００１２】
前記第３の発明のボールペン１は、前記構成により、ボールペンチップ２の外面とリブ７２の前部７２ａとの前後方向の十分な長さの圧接領域を確保でき、ボールペンチップ２の外面を安定して保持することができる。
【００１３】
本願の第４の発明は、前記第１、第２または第３の発明のボールペンにおいて、前記リブ７２の肉厚Ｖが後方に向かうに従い厚肉に形成されることを要件とする。
【００１４】
前記第４の発明のボールペン１は、前記構成により、リブ７２の径方向の突出量を小さくしても、リブ７２の前部７２ａとボールペンチップ２の外面との間で十分な空気通路８を安定して確保でき、しかも、リブ７２の後部７２ｂが比較的厚肉となるため、ボールペン本体の組立時にリブ７２の後部７２ｂがインキ誘導部材３の外面を安定して支持でき、インキ誘導部材３の折れ曲がりを一層防止できる。
【００１５】
本願の第５の発明は、前記第１乃至第４の何れかの発明のボールペンにおいて、前記インキ誘導部材３が、前記ボールペンチップ２内に前端部が配置される第１の部材３１と、前記第１の部材３１の後端部と突き刺し状に接続され且つ前記インキ保持体４の内部を軸方向に貫通される第２の部材３２とを備え、前記第１の部材３１と前記第２の部材３２との接続部分が前記リブ７２の後部７２ｂの径方向内方に配置されることを要件とする。
【００１６】
前記第５の発明のボールペン１は、前記構成により、第１の部材３１と第２の部材３２とが突き刺し状に接続された際、第１の部材３１または第２の部材３２が径方向外方に変形したとしても、リブ７２の後部７２ｂの相互間に空気通路８が十分に確保される。
【発明の効果】
【００１７】
本発明のボールペンは、ボールペン本体のボールペンチップ側の、キャップとの気密嵌合部の位置を自由に設定することができ、しかも、ボールペン本体のボールペンチップ側の外観性が損なわれることがなく、さらに、インキ保持体に挿入される際のインキ誘導部材の折れ曲がりを防止できる。
【図面の簡単な説明】
【００１８】
【図１】本発明の第１の実施の形態のボールペンの縦断面図である。
【図２】図１の要部拡大縦断面図である。
【図３】図２のＡ−Ａ線矢視断面図である。
【図４】図２のＢ−Ｂ線矢視断面図である。
【図５】図２のＣ−Ｃ線矢視断面図である。
【図６】図２のＤ−Ｄ線断面図である。
【図７】本発明の第２の実施の形態のボールペンの縦断面図である。
【図８】図７の要部拡大縦断面図である。
【図９】図８のＥ−Ｅ線矢視断面図である。
【図１０】図８のＦ−Ｆ線矢視断面図である。
【図１１】図８のＧ−Ｇ線矢視断面図である。
【図１２】図８のＨ−Ｈ線断面図である。
【図１３】本発明の第３の実施の形態のボールペンの縦断面図である。
【図１４】図１３の要部拡大縦断面図である。
【図１５】図１４のＤ−Ｄ線矢視断面図である。
【図１６】本発明の第４の実施の形態のボールペンの縦断面図である。
【図１７】図１６の要部拡大縦断面図である。
【図１８】図１７のＨ−Ｈ線矢視断面図である。
【発明を実施するための形態】
【００１９】
＜第１の実施の形態＞
本発明の第１の実施の形態のボールペン１を図１乃至図６に示す。
本実施の形態のボールペン１は、ボールペンチップ２と、ボールペンチップ２のボール２１にインキを供給する棒状のインキ誘導部材３と、インキ誘導部材３が軸方向に貫通されるインキ保持体４と、インキ保持体４の後方に配置される中間部材６と、中間部材６の後方に配置されるインキタンク５と、インキタンク５の前端部と連結され且つ前端部にボールペンチップ２が保持されたペン先保持筒７とを備えたボールペン本体と、ボールペン本体のボールペンチップ２側に着脱自在に設けられるキャップ（図示せず）とからなる。ペン先保持筒７の内部に、インキ保持体４及び中間部材６が収容される。インキ保持体４は、インキタンク５内の圧力変化に伴う溢出インキを一時的に保持する部材である。本実施の形態では、ペン先保持筒７に内部にインキ保持体４の全体が収容されているが、これ以外にも、ペン先保持筒７に内部にインキ保持体４の前端部のみまたは前部のみが収容される構成でもよい。また、ペン先保持筒７の内部にインキタンク５が形成される構成でもよい。また、ペン先保持筒７は、複数の部材により構成することもできる。例えば、ペン先保持筒７は、ボールペンチップ２が固着される前側部材と、該前側部材に連結され、内部にインキ保持体４が収容される後側部材とからなる構成としてもよい。
【００２０】
・ボールペンチップ
ボールペンチップ２は、チップ本体２２と、該チップ本体２２の前端に回転可能に抱持されたボール２１とからなる。チップ本体２２の前端部の外面は、先細状に形成される。チップ本体２２の前端部の後方には、直円筒状の外面が形成される。チップ本体２２は金属（例えばステンレス鋼）または合成樹脂（例えばポリアセタール樹脂）により得られる。チップ本体２２が金属材料からなる場合、ボール２１を抱持するチップ本体２２の前端部のボール抱持部のボール受け座は、切削加工または塑性加工により得られ、ボール抱持部の内向きの前端縁部は塑性加工により得られる。チップ本体２２が合成樹脂からなる場合、ボール２１を抱持するチップ本体２２の前端のボール抱持部は、射出成形により得られる。ボールペンチップ２の直円筒状の外面は、ペン先保持筒７の前端孔７１に圧入固着される。ボールペンチップ２の直円筒状の外面の外径は２．３ｍｍに設定される。ボールペンチップ２のボール２１の直径は、０．３ｍｍ〜１．０ｍｍの範囲のものが採用される。
【００２１】
・インキ誘導部材
インキ誘導部材３は合成樹脂製繊維（例えば、ポリエステル繊維、アクリル繊維、ナイロン繊維等）の樹脂加工により得られる棒状体である。インキ誘導部材３の前端部は、先細状（即ち前方に向かうに従い外径が小さくなる形状）に形成され、ボールペンチップ２の後方から挿入される。インキ誘導部材３の前端部は、ボール２１の背面に近接し、ボール受け座の軸心のインキ導出孔内に配置される。インキ誘導部材３は、チップ本体２２後方より後方に突出され、インキ保持体４内部及び中間部材６を軸方向に貫通される。インキ誘導部材３の外周面はインキ保持体４に接触される。インキ誘導部材３の後端部は、インキタンク５内に配置される。インキ誘導部材３の後端部は、軸線に対して垂直な平面状に形成されるか、または、前端部と同様、先細状（即ち後方に向かうに従い外径が小さくなる形状）に形成される。
【００２２】
チップ本体２２の側壁には、径方向内方に突出する複数（具体的には周方向に等間隔に配置された４個）の内方突出部２２ａが形成される。内方突出部２２ａがインキ誘導部材３の外面に圧接される。それにより、インキ誘導部材３の外面がチップ本体２２の側壁内面に確実に保持され、ボールペンチップ２内のインキ誘導部材３の前後方向のがたつきが防止され、インキ誘導部材３の前端とボール２１との安定したインキ接続状態を得る。本実施の形態では、インキ誘導部材３の外径は、１．５ｍｍに設定される。
【００２３】
・インキ保持体
インキ保持体４は、円柱状の合成樹脂製繊維束（例えば、ポリエステル繊維束）の加工体からなる。インキ保持体４の外周面には合成樹脂製の円筒状の外皮が被覆される。インキ誘導部材３は、インキ保持体４の内部を貫通し、インキ保持体４の後端より後方に突出される。本実施の形態では、インキ保持体４は、外径が７ｍｍ、軸方向の長さが３０ｍｍに設定される。
【００２４】
・中間部材
中間部材６は、合成樹脂（例えば、ポリプロピレン、ポリエチレン等）の射出成形より得られる。中間部材６は、インキ保持体４とインキタンク５とを区画する隔壁６１と、隔壁６１の前面より前方に突出され且つインキ保持体４の後端面に当接される筒状部６１ａと、隔壁６１の後面より後方に突出され且つペン先保持筒７内面に嵌着される筒状取付部６２と、筒状取付部６２より後方に突出され且つインキタンク５の前端開口部に嵌着される接続管６３とを備える。筒状取付部６２の外径は接続管６３の外径より大きく設定される。ペン先保持筒７及び隔壁６１によって形成される空間（即ち保持体収容部）に、インキ保持体４が収容される。隔壁６１前面且つ筒状部６１ａの外周面に径方向外方に放射状に延びる複数の軸方向のリブ６１ｂが一体に形成され、リブ６１ｂとインキ保持体４の後端面が当接される。本実施の形態において、隔壁６１は円板状であり、筒状取付部６２、及び接続管６３は円筒状である。隔壁６１、筒状部６１ａ、接続管６３、及び筒状取付部６２は一体に連設される。即ち、中間部材６により、隔壁６１、筒状部６１ａ、接続管６３、及び筒状取付部６２を１部品で構成できる。
【００２５】
・ペン先保持筒
ペン先保持筒７は、合成樹脂（例えば、ポリプロピレン、ポリエチレン等）の射出成形により得られる円筒状体である。ペン先保持筒７は、ボールペンチップ２の直円筒状の後部外周面が圧入固着される前端孔７１を有する先細部と、該先細部より後方に連設され、インキ保持体４及び中間部材６が収容される本体部とからなる。ペン先保持筒７（主に本体部）の外面が筆記時に把持可能な把持部となる。ペン先保持筒７（本体部）の後端開口部外面と、インキタンク５の前端開口部内面とが圧入固着される。前端孔７１はペン先保持筒７の前端に軸方向に貫設される。
【００２６】
・リブ
ペン先保持筒７の前端孔７１の内面に径方向内方に突出し且つ軸方向に延びる複数本（具体的には４本）のリブ７２が周方向に等間隔に一体に形成される。リブ７２を有する前端孔７１にボールペンチップ２の後部が圧入される。リブ７２の前部７２ａは、ボールペンチップ２の直円筒状の外面が径方向に圧接保持される。リブ７２の後部７２ｂとインキ誘導部材３の外面とが径方向に近接される。リブ７２の前部７２ａとリブ７２の後部７２ｂとの間に前向きの段部７２ｃが形成され、段部７２ｃにボールペンチップ２の後端が軸方向に当接される。
【００２７】
前端孔７１の内面とボールペンチップ２の外面との間のリブ７２の相互間に空気通路８が形成される。空気通路８を通ってインキタンク５内部に外気が取り込まれる。空気通路８がペン先保持筒７の前端より前方に開口される。本実施の形態では、リブ７２の前部７２ａとボールペンチップ２の外面との間に形成される空気通路８の径方向の間隙寸法Ｕは、後方に向うに従い小さくなり、前端が０．１５ｍｍ、後端が０．０９ｍｍに設定される。また、リブ７２の後部７２ｂとインキ誘導部材３の外面との間の間隙寸法は軸方向にわたり略一定の０．０５ｍｍに設定される。
【００２８】
リブ７２の後部７２ｂの軸心方向の頂部に接する仮想内接円の直径は、ボールペンチップ２の後端開口部内径と略一致してなる。また、リブ７２の肉厚Ｖは後方に向かうに従い厚肉に形成される。本実施の形態では、リブ７２の後部７２ｂの軸心方向の頂部に接する仮想内接円の直径及びボールペンチップ２の後端開口部内径は、具体的には１．６ｍｍに設定される。
【００２９】
ペン先保持筒７の前端部内面に、内部に前端孔７１を備え且つ後方に突出する筒状突出部７４が一体に形成される。前端孔７１が、ペン先保持筒７の前端から筒状突出部７４の後端まで軸方向に貫通される。筒状突出部７４の内面にリブ７２及び段部７２ｃが一体に形成される。ボールペンチップ２の後端が段部７２ｃに当接されるとともに、ボールペンチップ２の後端が筒状突出部７４の内面に位置される。
【００３０】
ペン先保持筒７の前端より後方の内面（具体的には筒状突出部７４の基端より後方の内面）には、径方向内方に突出し且つ軸方向に延びる複数本（具体的には６本）のリブ７３が周方向に等間隔に一体に形成される。リブ７３の前部に後向きの段部７３ａを備え、段部７３ａにインキ保持体４の前端面が軸方向に当接される。段部７３ａより後方のリブ７３にインキ保持体４の外面が径方向に圧接保持される。
【００３１】
・インキタンク
インキタンク５は、前端が開口し後端が閉鎖された有底筒体からなる。インキタンク５は、合成樹脂（例えば、ポリプロピレン、ポリエチレン等）の射出成形により得られる。インキタンク５内には、直にインキが貯溜される。インキタンク５内に貯溜されるインキは、水性インキ、油性インキのいずれであってもよい。インキタンク５は、着脱自在に中間部材６に接続され、交換可能とすることもできる。
【００３２】
インキタンク５の前端部は、内筒部５１と外筒部５２とが同心円状に一体に形成される。内筒部５１が中間部材６の接続管６３と連結され、外筒部５２がペン先保持筒７の後端部と連結される。本実施の形態において、接続管６３の外面とインキタンク５の前端部内面とが圧入固着される構造が採用されているが、これ以外に、接続管６３の内面とインキタンク５の前端部外面とが圧入固着される構造を採用してもよい。本実施の形態において、ペン先保持筒７の後端部の外面とインキタンク５の外筒部５２内面とが嵌着される構造が採用されているが、これ以外に、ペン先保持筒７の後端部の内面とインキタンク５の外筒部５２外面とが嵌着される構造を採用してもよい。
【００３３】
本実施の形態のボールペン１は、ペン先保持筒７の前端部に前端孔７１が軸方向に貫設され、前端孔７１の内面に軸方向に延びる複数本のリブ７２が周方向に等間隔に一体に形成され、リブ７２の前部７２ａにボールペンチップ２の外面が圧接保持され、リブ７２の前部７２ａとリブ７２の後部７２ｂとの間に前向きの段部７２ｃが形成され、段部７２ｃとボールペンチップ２の後端とが当接され、リブ７２の後部７２ｂとインキ誘導部材３の外面とが近接され、ボールペンチップ２の外面と前端孔７１の内面との間のリブ７２の相互間に、ボールペン本体内部と外気とが連通可能な空気通路８が形成され、空気通路８がペン先保持筒７の前端より前方に開口されることにより、ボールペン本体のボールペンチップ側の、キャップとの気密嵌合部の位置を自由に設定することができ、しかも、空気通路８の開口ではボールペン本体のボールペンチップ側の外観性が損なわれることがなく、さらに、ボールペン本体の組立時のインキ誘導部材３の折れ曲がりを防止できる。
【００３４】
本実施の形態のボールペン１は、リブ７２の後部７２ｂの軸心方向の頂部に接する仮想内接円の直径がボールペンチップ２の後端開口部内径と略一致してなることにより、段部７２ｃ（リブ７２の後部７２ｂの前端）でボールペンチップ２の後端を安定して支持できるとともに、リブ７２の後部７２ｂをインキ誘導部材３の外面にできる限り近接させることができ、ボールペン本体の組立時のインキ誘導部材３の折れ曲がりを一層防止できる。
【００３５】
本実施の形態のボールペン１は、ペン先保持筒７の前端部内面に後方に突出する筒状突出部７４が一体に形成され、ペン先保持筒７の前端から筒状突出部７４の後端までの間に前端孔７１が軸方向に貫通され、筒状突出部７４の内面にリブ７２の前部７２ａ及びリブ７２の後部７２ｂが一体に形成されるとともに筒状突出部７４の内面にリブ７２の前部７２ａとリブ７２の後部７２ｂとの間の段部７２ｃが一体に形成され、ボールペンチップ２の後端が筒状突出部７４の内面に位置されることにより、ボールペンチップ２の外面とリブ７２の前部７２ａとの前後方向の十分な長さの圧接領域を確保でき、ボールペンチップ２の外面を安定して保持することができる。
【００３６】
本実施の形態のボールペン１は、リブ７２の肉厚Ｖが後方に向かうに従い厚肉に形成されることにより、リブ７２の径方向の突出量を小さくしても、リブ７２の前部７２ａとボールペンチップ２の外面との間で十分な空気通路８を安定して確保でき、しかも、リブ７２の後部７２ｂが比較的厚肉となるため、ボールペン本体の組立時にリブ７２の後部７２ｂがインキ誘導部材３の外面を安定して支持でき、インキ誘導部材３の折れ曲がりを一層防止できる。
【００３７】
＜第２の実施の形態＞
本発明の第２の実施の形態のボールペン１を図７乃至図１２に示す。
本実施の形態のボールペン１は、第１の実施の形態のインキ誘導部材３を、第１の部材３１と第２の部材３２とからなる構成にしたものである。インキ誘導部材３は、ボールペンチップ２内に前端部が位置する第１の部材３１と、第１の部材３１の後端部と突き刺し状に接続され且つインキ保持体４の内部を軸方向に貫通される第２の部材３２とからなる。
【００３８】
第１の部材３１及び第２の部材３２は、合成樹脂製繊維（例えば、ポリエステル繊維、アクリル繊維、ナイロン繊維等）の樹脂加工により得られる棒状体である。第１の部材３１の気孔率は、第２の部材３２の気孔率よりも小さく設定される。
【００３９】
第１の部材３１の前端部は、先細状（即ち前方に向かうに従い外径が小さくなる形状）に形成され、ボールペンチップ２の内部に後方から挿入される。第１の部材３１の前端部は、ボール２１の背面に近接し、ボール受け座の軸心のインキ導出孔内に配置される。第１の部材３１の後端部は、チップ本体２２後方より後方に突出され、筒状突出部７４内部に配置される。第２の部材３２の前端部は、先細状（即ち前方に向かうに従い外径が小さくなる形状）に形成され、第１の部材３１の後端部に突き刺し状に接続される。
【００４０】
第２の部材３２は、インキ保持体４及び中間部材６を軸方向に貫通される。第２の部材３２の前端部がインキ保持体４の前端面より前方に突出される。第２の部材３２の後端部がインキ保持体４の後端面より後方に突出され且つ中間部材６より後方に突出され、インキタンク５内に配置される。第２の部材３２の後端部は、軸線に対して垂直な平面状に形成されるか、または、前端部と同様、先細状（即ち後方に向かうに従い外径が小さくなる形状）に形成される。
【００４１】
本実施の形態のボールペン１は、第１の部材３１と第２の部材３２との接続部分がリブ７２の後部７２ｂの径方向内方（筒状突出部７４の内部）に配置される。それにより、第１の部材３１と第２の部材３２が突き刺し状に接続された際、第１の部材３１が径方向外方に変形したとしても、リブ７２の後部７２ｂの相互間に空気通路８が十分に確保される。
【００４２】
尚、他の構成及び効果は第１の実施形態と共通である。
【００４３】
＜第３の実施の形態＞
本発明の第３の実施の形態のボールペン１を図１３乃至図１５に示す。尚、図１４のＡ−Ａ線矢視断面図は図２のＡ−Ａ線矢視断面図（図３）と共通であり、図１４のＢ−Ｂ線矢視断面図は図２のＢ−Ｂ線矢視断面図（図４）と共通であり、図１４のＣ−Ｃ線断面矢視図は図２のＣ−Ｃ線断面矢視図（図５）と共通である。
【００４４】
本実施の形態のボールペン１は、第１の実施の形態のインキ保持体を、縦断面櫛歯状の部材としたものである。本実施の形態のインキ保持体４は、複数の櫛歯４１を適宜間隔に並設して形成されるインキ保溜溝４２と、インキ保溜溝４２と連通する軸方向に延びるスリット状のインキ誘導溝４３とを備えた合成樹脂製の部材である。インキ保持体４は、インキタンク５内の圧力変化に応じた溢出インキを一時的に保持する。インキ保持体４の軸心に中心孔が軸方向に貫設される。中心孔にインキ誘導部材３が挿入される。インキ誘導部材３がインキ保持体４及び中間部材６を軸方向に貫通される。インキ保持体４の前端部の櫛歯４１がペン先保持筒７の内面（リブ７３）に嵌合され、インキ保持体４の後端部は、縮径され、それが中間部材６の隔壁６１前面の筒状部６１ａ内面に嵌合される。インキ保持体４は、インキタンク５内の圧力変化に応じた溢出インキを一時的に保持する。
【００４５】
中間部材６は、合成樹脂（例えば、ポリプロピレン、ポリエチレン等）の射出成形より得られる。中間部材６は、インキ保持体４とインキタンク５とを区画する隔壁６１と、隔壁６１の前面より前方に突出され且つインキ保持体４の後端面に当接される筒状部６１ａと、隔壁６１の後面より後方に突出され且つペン先保持筒７内面に嵌着される筒状取付部６２と、筒状取付部６２より後方に突出され且つインキタンク５の前端開口部に嵌着される接続管６３とを備える。筒状取付部６２の外径は接続管６３の外径より大きく設定される。ペン先保持筒７及び隔壁６１によって形成される空間（即ち保持体収容部）に、インキ保持体４が収容される。本実施の形態において、隔壁６１は円板状であり、筒状取付部６２、及び接続管６３は円筒状である。隔壁６１、接続管６３、及び筒状取付部６２は一体に連設される。即ち、中間部材６により、隔壁６１、接続管６３、及び筒状取付部６２を１部品で構成できる。
【００４６】
他の構成及び効果は第１の実施形態と共通である。
【００４７】
＜第４の実施の形態＞
本発明の第４の実施の形態のボールペン１を図１６乃至図１８に示す。尚、図１７のＥ−Ｅ線矢視断面図は図８のＥ−Ｅ線矢視断面図（図９）と共通であり、図１７のＦ−Ｆ線矢視断面図は図８のＦ−Ｆ線矢視断面図（図１０）と共通であり、図１７のＧ−Ｇ線断面矢視図は図８のＧ−Ｇ線断面矢視図（図１１）と共通である。
【００４８】
本実施の形態のボールペン１は、第３の実施の形態のインキ誘導部材３を第２の実施の形態のインキ誘導部材３（第１の部材３１と第２の部材３２とからなる構成）にしたものである。即ち、インキ誘導部材３は、ボールペンチップ２内に前端部が位置する第１の部材３１と、第１の部材３１の後端部と突き刺し状に接続され且つインキ保持体４の内部を軸方向に貫通される第２の部材３２とからなる。本実施の形態のボールペン１は、第１の部材３１と第２の部材３２との接続部分が前記リブ７２の後部７２ｂの径方向内方（筒状突出部７４の内部）に配置される。
【００４９】
第１の部材３１及び第２の部材３２は、合成樹脂製繊維（例えば、ポリエステル繊維、アクリル繊維、ナイロン繊維等）の樹脂加工により得られる棒状体である。第１の部材３１の気孔率は、第２の部材３２の気孔率よりも小さく設定される。
【００５０】
第１の部材３１の前端部は、先細状（即ち前方に向かうに従い外径が小さくなる形状）に形成され、ボールペンチップ２の内部に後方から挿入される。第１の部材３１の前端部は、ボール２１の背面に近接し、ボール受け座の軸心のインキ導出孔内に配置される。第１の部材３１の後端部は、チップ本体２２後方より後方に突出され、筒状突出部７４内部に配置される。第２の部材３２の前端部は、先細状（即ち前方に向かうに従い外径が小さくなる形状）に形成され、第１の部材３１の後端部に突き刺し状に接続される。
【００５１】
第２の部材３２は、インキ保持体４及び中間部材６を軸方向に貫通される。第２の部材３２の前端部がインキ保持体４の前端面より前方に突出される。第２の部材３２の後端部がインキ保持体４の後端面より後方に突出され且つ中間部材６より後方に突出され、インキタンク５内に配置される。第２の部材３２の後端部は、軸線に対して垂直な平面状に形成されるか、または、前端部と同様、先細状（即ち後方に向かうに従い外径が小さくなる形状）に形成される。
【００５２】
本実施の形態のボールペン１は、第１の部材３１と第２の部材３２との接続部分が前記リブ７２の後部７２ｂの径方向内方に位置される。それにより、第１の部材３１と第２の部材３２とが突き刺し状に接続された際、第１の部材３１が径方向外方に変形したとしても、リブ７２の後部７２ｂの相互間に空気通路８が十分に確保される。
【００５３】
尚、他の構成及び効果は第１、第２、第３の実施形態と共通である。
【符号の説明】
【００５４】
１  ボールペン
２  ボールペンチップ
２１  ボール
２２  チップ本体
２２ａ  内方突出部
３  インキ誘導部材
３１  第１の部材
３２  第２の部材
４  インキ保持体
４１ 櫛歯
４２  インキ保溜溝
４３  インキ誘導溝
５  インキタンク
５１  内筒部
５２  外筒部
６  中間部材
６１  隔壁
６１ａ  隔壁前面の筒状部
６１ｂ  隔壁前面のリブ
６２  筒状取付部
６３  接続管
７  ペン先保持筒
７１  前端孔
７２  リブ
７２ａ  前部
７２ｂ  後部
７２ｃ  段部
７３  リブ
７３ａ  段部
７４  筒状突出部
８  空気通路
Ｕ  間隙寸法
Ｖ  リブの肉厚
【図１】
2020192727.tif 000003
【図２】
2020192727.tif 000004
【図３】
2020192727.tif 000005
【図４】
2020192727.tif 000006
【図５】
2020192727.tif 000007
【図６】
2020192727.tif 000008
【図７】
2020192727.tif 000009
【図８】
2020192727.tif 000010
【図９】
2020192727.tif 000011
【図１０】
2020192727.tif 000012
【図１１】
2020192727.tif 000013
【図１２】
2020192727.tif 000014
【図１３】
2020192727.tif 000015
【図１４】
2020192727.tif 000016
【図１５】
2020192727.tif 000017
【図１６】
2020192727.tif 000018
【図１７】
2020192727.tif 000019
【図１８】
2020192727.tif 000020